(57)【特許請求の範囲】
【請求項１】
対象空間を通過する第１の気流を形成する第１の気流発生装置と、
前記対象空間を通過する第２の気流を形成する第２の気流発生装置とを備え、
前記対象空間は、上面が覆われ、かつ側面に閉鎖面および開放面を備え、
前記第１の気流発生装置と前記第２の気流発生装置とは前記対象空間の平面視における前記対象空間の周部において互いに異なる部位に配置され、
前記第１の気流発生装置は、前記開放面に沿う向きに前記第１の気流を形成し、
前記第２の気流発生装置は、
前記対象空間の周部において前記第１の気流の下流側であって、前記閉鎖面に向かう向きに前記第２の気流を形成するように配置され、
かつ前記第１の気流発生装置が形成する前記第１の気流の下流側において、前記第２の気流発生装置が形成する前記第２の気流が前記第１の気流を巻き込むことによって、前記第１の気流が前記第２の気流の向きに変更されるように配置されており、
前記対象空間は直方体状であって、
前記閉鎖面は、前記対象空間において前記対象空間の前記上面に隣り合う４つの面のうちの３面であって、前記開放面は、残りの１面であって、
前記閉鎖面は、前記開放面に隣り合う第１の壁部材および第２の壁部材と、前記開放面と向かい合う第３の壁部材と、により形成され、
前記第１の気流発生装置は、前記第１の壁部材に隣接して配置され、かつ前記第２の壁部材に向かう向きに前記第１の気流を形成し、
前記第２の気流発生装置は、前記第２の壁部材に隣接して配置され、かつ前記第２の壁部材に沿って前記第３の壁部材に向かう向きに前記第２の気流を形成する
ことを特徴とする空調システム。
【請求項２】
前記対象空間は、建物に形成されており、
前記建物は、
前記対象空間の前記上面を覆う屋根部材と、
前記第１の壁部材、前記第２の壁部材および前記第３の壁部材とを備える
ことを特徴とする請求項１記載の空調システム。
【請求項３】
前記第２の気流発生装置は、前記第１の気流発生装置が形成する前記第１の気流の流速が所定の基準値まで減速された位置に配置される
ことを特徴とする請求項１又は２記載の空調システム。
【請求項４】
対象空間を通過する気流を形成する３台以上の複数台の気流発生装置を備え、
前記対象空間は、上面が覆われ、かつ側面に閉鎖面および開放面を備え、
前記複数台の気流発生装置は前記対象空間の平面視における前記対象空間の周部における互いに異なる部位に配置され、
前記複数台の気流発生装置のうちで２台の気流発生装置は、前記対象空間の周部において隣り合い、前記２台の気流発生装置のうちの第１の気流発生装置が形成する第１の気流の下流側において、前記２台の気流発生装置のうちの第２の気流発生装置が形成する第２の気流が前記第１の気流を巻き込むことによって、前記第１の気流が前記第２の気流の向きに変更されるように配置され、かつ前記複数台の気流発生装置が形成する複数の気流が前記対象空間において循環するように配置されており、
前記対象空間は直方体状であって、
前記閉鎖面は、前記対象空間において前記対象空間の前記上面に隣り合う４つの面のうちの１面であって、前記開放面は、残りの３面であって、
前記閉鎖面は、壁部材により形成され、
前記第１の気流発生装置は、前記壁部材に向かう向きに前記第１の気流を形成し、
前記第２の気流発生装置は、前記壁部材に隣接して配置され、かつ前記壁部材に沿う向きに前記第２の気流を形成する
ことを特徴とする空調システム。
【請求項５】
前記対象空間は、建物に形成されており、
前記建物は、前記対象空間の前記上面を覆う屋根部材を備える
ことを特徴とする請求項４記載の空調システム。
【請求項６】
前記第２の気流発生装置は、前記第１の気流発生装置が形成する前記第１の気流の流速
が所定の基準値まで減速された位置に配置される
ことを特徴とする請求項４又は５記載の空調システム。
【発明の詳細な説明】
【技術分野】
【０００１】
本発明は、対象空間に気流を形成する空調システムに関する。
【背景技術】
【０００２】
従来、空調対象空間に設置された複数の室内機によって、一つの室内機からの吹出気流を他の室内機の吹出気流に関連させることにより、空調対象空間の全体気流を形成することが提案されている（たとえば、特許文献１参照）。特許文献１には、空調対象空間全体において旋回気流等の全体気流を形成すること、単調な気流や温度ムラ等による不快感を解消し、快適な空調を実現することが記載されている。また、特許文献１には、空調対象空間全体に気流感を付与することができるため、設定温度を高めたり一部の室内機の運転を停止したりしても利用者は涼しさを感じることができることから、省エネ効果も向上するという記載もある。
【先行技術文献】
【特許文献】
【０００３】
【特許文献１】特開２００８−１１６０６４号公報
【発明の概要】
【発明が解決しようとする課題】
【０００４】
特許文献１に記載された構成は、店舗、飲食店、事務所等の比較的広い空間において空調を行う場合の課題を解決しているが、空調対象空間はおおむね閉じた空間であり、少なくとも一部が開放された対象空間については考慮されていない。
【０００５】
本発明は、少なくとも一部が開放されている対象空間から外部への熱の流出を抑制する空調システムを提供することを目的とする。
【課題を解決するための手段】
【０００６】
本発明に係る空調システムは、第１の気流発生装置と第２の気流発生装置とを備える。前記第１の気流発生装置は、対象空間を通過する第１の気流を形成する。前記第２の気流発生装置は、前記対象空間を通過する第２の気流を形成する。前記対象空間は、上面が覆われ、かつ側面に閉鎖面および開放面を備える。前記第１の気流発生装置と前記第２の気流発生装置とは前記対象空間の平面視における前記対象空間の周部において互いに異なる部位に配置される。前記第１の気流発生装置は、前記開放面に沿う向きに前記第１の気流を形成する。前記第２の気流発生装置は、前記対象空間の周部において前記第１の気流の下流側であって、前記閉鎖面に向かう向きに前記第２の気流を形成するように配置される。さらに、前記第２の気流発生装置は、前記第１の気流発生装置が形成する前記第１の気流の下流側において、前記第２の気流発生装置が形成する前記第２の気流が前記第１の気流を巻き込むように配置されている。結果的に、前記第２の気流発生装置は、前記第１の気流が前記第２の気流の向きに変更されるように配置されている。前記対象空間は直方体状である。前記閉鎖面は、前記対象空間において前記対象空間の前記上面に隣り合う４つの面のうちの３面である。前記開放面は、前記対象空間において前記対象空間の前記上面に隣り合う前記４つの面のうちの残りの１面である。前記閉鎖面は、前記開放面に隣り合う第１の壁部材および第２の壁部材と、前記開放面と向かい合う第３の壁部材と、により形成される。前記第１の気流発生装置は、前記第１の壁部材に隣接して配置され、かつ前記第２の壁部材に向かう向きに前記第１の気流を形成する。前記第２の気流発生装置は、前記第２の壁部材に隣接して配置され、かつ前記第２の壁部材に沿って前記第３の壁部材に向かう向きに前記第２の気流を形成する。
【０００７】
本発明に係る他の空調システムは、対象空間を通過する気流を形成する３台以上の複数台の気流発生装置を備える。前記対象空間は、上面が覆われ、かつ側面に閉鎖面および開放面を備える。前記複数台の気流発生装置は前記対象空間の平面視における前記対象空間の周部における互いに異なる部位に配置される。前記複数台の気流発生装置のうちで２台の気流発生装置は、前記対象空間の周部において隣り合う。前記２台の気流発生装置は、第１の気流発生装置と第２の気流発生装置とが以下の条件を満足するように配置される。前記第１の気流発生装置は前記２台の気流発生装置のうちの一方であり、前記第２の気流発生装置は前記２台の気流発生装置のうちの他方である。すなわち、前記第１の気流発生装置が形成する第１の気流の下流側において、前記第２の気流発生装置が形成する第２の気流が前記第１の気流を巻き込むことが条件である。そして、前記第１の気流発生装置と前記第２の気流発生装置とは、前記第１の気流が前記第２の気流の向きに変更されるように配置される。しかも、前記複数台の気流発生装置が形成する複数の気流が前記対象空間において循環するように配置されている。前記対象空間は直方体状である。前記閉鎖面は、前記対象空間において前記対象空間の前記上面に隣り合う４つの面のうちの１面である。前記開放面は、前記対象空間において前記対象空間の前記上面に隣り合う前記４つの面のうちの残りの３面である。前記閉鎖面は、壁部材により形成される。前記第１の気流発生装置は、前記壁部材に向かう向きに前記第１の気流を形成する。前記第２の気流発生装置は、前記壁部材に隣接して配置され、かつ前記壁部材に沿う向きに前記第２の気流を形成する。
【発明の効果】
【０００８】
本発明の構成によれば、少なくとも一部が開放されている対象空間から外部への熱の流出が抑制されるという利点を有する。
【図面の簡単な説明】
【０００９】
【図１】図１は建物の一つの構成例を示す斜視図である。
【図２】図２は図１に示した構成例の動作説明図である。
【図３】図３は建物の他の構成例を示す斜視図である。
【図４】図４は図３に示した構成例の動作説明図である。
【発明を実施するための形態】
【００１０】
以下に説明する建物は、原則として非居住用であるが、居住用の建物において以下に説明する技術を採用することを妨げない。非居住用の建物は、道路、駅、公園、広場のように、人が往来あるいは集散する場所に設置されることを想定している。この種の建物は、たとえば、休憩所、待合室、東屋、停留所、鉄道駅などで用いられる。また、この種の建物は、屋根を備え、壁は少なくとも一部が開放される。
【００１１】
建物の形状に関する制限は特になく、屋根の外周形状は、四角形状、円形状、四角形状以外の多角形状など、様々な形状を採用することが可能である。屋根を構成する屋根部材は、建物を設置する場所の設置面に立てた支持材によって支持される。支持材は、屋根部材の周部を支持する支柱、屋根部材の中央部を支持する支柱、屋根部材の周部を支持する支持壁または耐力壁などから選択される。設置面は、地面、路面、建築物の床面などから選択される。建築物の床面は、ビルディングであれば屋上の床面などが相当する。建物の床は、設置面を床面に用いる場合と、設置面とは別に床部材で形成する場合とがある。
【００１２】
（構成例１）
以下では、図１のように、建物１０Ａが、外周形状が四角形状である屋根部材１１と、屋根部材１１の四隅を支持する４本の支柱１２とを備える構成例について説明する。支柱１２は、屋根部材１１の四隅の直下における設置面に立てられ、支柱１２の上端部は屋根部材１１に結合されている。また、屋根部材１１は、遮光性あるいは遮熱性を有する。屋根部材１１は、合成樹脂板、合成樹脂シート、金属板、セメント板などから選択される。屋根部材１１は、複数の屋根材が屋根下地の上に配置された構成であってもよい。なお、建物１０Ａで使用する設備機器に供給する電力の少なくとも一部を確保するために、太陽電池パネルを屋根に搭載する場合、太陽電池パネルを屋根部材１１として兼用することが可能である。
【００１３】
図１に示す建物１０Ａは、屋根部材１１で覆われている面と設置面とを除く４つの面のうち３つの面に壁部材１３１、１３２、１３３が配置されており、残りの１つの面が開放されている。つまり、直方体状に形成された建物１０Ａは１つの面が開放面となる形状であり、建物１０Ａの利用者は開放面を出入口１４に用いる。また、対象空間Ｓｔの残りの３面は、壁部材１３１、１３２、１３３により閉鎖面になる。
【００１４】
この構成例において、屋根部材１１の直下の空間領域は、人が滞在する対象空間Ｓｔであるから、この空間領域に滞在する人の快適性を向上させることが要求される。この構成例では、空調システム２０は、対象空間Ｓｔを通過する気流を発生させる２台の気流発生装置２１、２２を備え、対象空間Ｓｔに気流を形成することによって対象空間Ｓｔに滞在する人の快適性を向上させる。また、建物１０Ａには対象空間Ｓｔの冷房を行う冷房装置が配置される。冷房装置は、複数台の気流発生装置２１、２２と兼用された構成と、複数台の気流発生装置２１、２２とは別である構成とのどちらであってもよい。ここでは、気流発生装置２１、２２が冷房装置と兼用されている例を示している。
【００１５】
以下では、図１に示す２台の気流発生装置２１、２２のうちの一方を第１の気流発生装置２１と呼び、他方を第２の気流発生装置２２と呼ぶ。また、図１に示す構成例では、第１の気流発生装置２１と第２の気流発生装置２２とは冷房装置を兼ねている。第１の気流発生装置２１が対象空間Ｓｔに形成する気流を第１の気流ＡＦ１と呼び、第２の気流発生装置２２が対象空間Ｓｔに形成する気流を第２の気流ＡＦ２と呼ぶ（図２参照）。
【００１６】
第１の気流発生装置２１と第２の気流発生装置２２とは、それぞれ対象空間Ｓｔの平面視における対象空間Ｓｔの周部の異なる部位に配置される。具体的には、図２に示すように、第１の気流発生装置２１は、出入口１４を挟む２つの壁部材１３１、１３２のうちの一方の壁部材１３１に隣接して配置され、他方の壁部材１３２に向かう第１の気流ＡＦ１を形成する。また、第２の気流発生装置２２は、壁部材１３２に隣接して配置され、壁部材１３２に沿って壁部材１３３に向かう第２の気流ＡＦ２を形成する。
【００１７】
第１の気流発生装置２１と第２の気流発生装置２２とは、第１の気流発生装置２１が形成した第１の気流ＡＦ１の下流側において、第２の気流発生装置２２が形成した第２の気流ＡＦ２が第１の気流ＡＦ１を巻き込むように、配置および気流の向きが定められる。すなわち、第２の気流ＡＦ２により生じる負圧によって、第１の気流ＡＦ１が引き込まれるように、第１の気流ＡＦ１と第２の気流ＡＦ２との関係が定められる。そのため、第１の気流ＡＦ１の流速が低下すると、第２の気流ＡＦ２に引き込まれ、第１の気流ＡＦ１の向きが第２の気流ＡＦ２の向きに変更される。
【００１８】
仮に第２の気流発生装置２２が配置されていなければ、第１の気流ＡＦ１の流速が低下することによって第１の気流ＡＦ１は拡散し、第１の気流ＡＦ１の一部が出入口１４から建物１０Ａの外部に流れる。第１の気流発生装置２１は冷房装置を兼ねているから、第１の気流ＡＦ１の一部が出入口１４から建物１０Ａの外部に流れると、第１の気流ＡＦ１に含まれる冷熱が対象空間Ｓｔで利用されずに無駄に消費される。
【００１９】
一方、図２に示す構成例では、第２の気流発生装置２２を配置したことによって、第１の気流ＡＦ１が第２の気流ＡＦ２に巻き込まれる。すなわち、第１の気流ＡＦ１の下流側において、建物１０Ａの外部に拡散する空気量が低減され、建物１０Ａの外部に漏れ出る冷熱が抑制される。このように、冷房装置と兼用された第１の気流発生装置２１からの冷熱が第２の気流ＡＦ２によって建物１０Ａの内部である対象空間Ｓｔに引き戻される。したがって、第１の気流発生装置２１で発生した冷熱が対象空間Ｓｔで効率よく利用され、対象空間Ｓｔの冷房を迅速に行うことが可能であり、かつ対象空間Ｓｔの冷房に要するエネルギー量が低減される。
【００２０】
上述の構成例では、第１の気流発生装置２１および第２の気流発生装置２２が冷房装置に兼用されている例を示したが、第１の気流発生装置２１および第２の気流発生装置２２は暖房装置に兼用されていてもよい。また、第１の気流発生装置２１のみが冷熱あるいは温熱を発生させる構成であって、第２の気流発生装置２２は送風のみを行う構成であってもよい。
【００２１】
さらに、冷房装置は、ヒートポンプ式である構成を想定しているが、ノズルなどによって水を微粒子化したミストを発生させ、ミストが気化熱を奪うことによって気温を下げる構成を採用してもよい。ミストを発生させる場合、ミストは第１の気流ＡＦ１によって運ばれるが、空気よりも減速しやすいから、第１の気流ＡＦ１のみでは遠方まで運ぶことが困難である。上述した構成では、第１の気流ＡＦ１の下流側に第２の気流ＡＦ２を形成しているから、ミストが第２の気流ＡＦ２に引き込まれる。その結果、対象空間Ｓｔから外部に漏れ出るミストの量を低減させ、対象空間Ｓｔの気温の引き下げに寄与するミストの割合が高められる。
【００２２】
２台の気流発生装置２１、２２は、対象空間Ｓｔにおいて同程度の高さ（望ましくは同じ高さ）に配置されている。２台の気流発生装置２１、２２が同程度の高さに配置されていることにより、第１の気流ＡＦ１の下流における空気が第２の気流ＡＦ２に誘導され易くなる。
【００２３】
上述した動作から明らかなように、第２の気流ＡＦ２は、第１の気流ＡＦ１が下流側において減速し空気が出入口１４を通して対象空間Ｓｔの外部に拡散しないように形成することが望ましい。すなわち、第１の気流発生装置２１の仕様は、第１の気流ＡＦ１が第２の気流ＡＦ２に巻き込まれるまで、第１の気流が所定の基準値以上の流速を維持するように定めることが望ましい。
【００２４】
また、第１の気流発生装置２１を単独で用いた場合に、第１の気流ＡＦ１の流速が所定の基準値まで低下する位置に、第２の気流発生装置２２の位置を定めることが望ましい。たとえば、流速の基準値は０．５［ｍ／ｓ］である。この場合、第２の気流発生装置２２がなく、第１の気流発生装置２１のみが対象空間Ｓｔに存在する場合に、壁部材１３２に到達する第１の気流ＡＦ１の流速が０．５［ｍ／ｓ］になるように、第１の気流発生装置２１が設計される。つまり、第１の気流ＡＦ１の初速が定められる。また、第２の気流ＡＦ２の流速および向きは、第２の気流ＡＦ２が第１の気流ＡＦ１を巻き込んで向きを変更するように定められる。
【００２５】
さらに、第１の気流ＡＦ１が下流において第２の気流ＡＦ２に巻き込まれて対象空間Ｓｔの外部への流出量が低減されるように（理想的には、流出しないように）、第１の気流ＡＦ１の初速と、第２の気流ＡＦ２の初速との関係が定められる。この関係は、第１の気流発生装置２１の仕様、第２の気流発生装置２２の仕様、建物１０Ａのサイズなどの様々な要素によって定められる。
【００２６】
ここでは、第１の気流ＡＦ１の流速および第２の気流ＡＦ２の流速に関する条件が定められているが、第１の気流発生装置２１がミストを噴霧する場合には、第１の気流ＡＦ１をミストに読み替えて条件が定められる。すなわち、ミストが壁部材１３２に到達する際の流速が基準値（たとえば、０．５［ｍ／ｓ］）になるように、第１の気流ＡＦ１の初速が定められる。
【００２７】
上述した構成例では、第２の気流発生装置２２が壁部材１３３に向かう向きに第２の気流ＡＦ２を形成しているから、第２の気流ＡＦ２が壁部材１３３に到達すると、壁部材１３３に沿うように気流の向きが変更される。第２の気流ＡＦ２の初速、対象空間Ｓｔの寸法などにもよるが、第２の気流ＡＦ２は、壁部材１３３に衝突した後に壁部材１３３に沿って流れ、さらに壁部材１３１に到達する。その後、第１の気流発生装置２１が形成する第１の気流ＡＦ１の影響を受けることにより壁部材１３１に沿って流れる。すなわち、第１の気流発生装置２１と第２の気流発生装置２２とを用いることによって、対象空間Ｓｔの内側空間には水平面内において循環するような気流が形成される。なお、第１の気流ＡＦ１の初速と第２の気流ＡＦ２の初速とは同じであってもよいが、異なっていることが望ましい。
【００２８】
上述した構成により、第１の気流ＡＦ１が対象空間Ｓｔに対してエアカーテンのように機能し、対象空間Ｓｔから外部への冷熱あるいは温熱の流出を抑制する。また、対象空間Ｓｔの内部では、第１の気流ＡＦ１と第２の気流ＡＦ２とによる攪拌が生じて、冷熱あるいは温熱を対象空間Ｓｔに行き渡らせ、温度の偏差が抑制される。
【００２９】
（構成例２）
上述した構成例では、直方体状の建物１０Ａにおいて屋根部材１１で覆われている面と設置面とを除く４つの面のうちの３つの面に壁部材１３１、１３２、１３３を配置している。これに対して、図３のように、直方体状の建物１０Ｂの４つの面のうちの１面にだけ壁部材１３３を設ける場合には以下の構成を採用する。壁部材１３３は対象空間Ｓｔの閉鎖面を形成する。また、残りの３面は開放面であって出入口１４として機能する。
【００３０】
この建物１０Ｂには、４台の気流発生装置２１、２２、２３、２４が配置される。すなわち、空調システム２０は、４台の気流発生装置２１、２２、２３、２４を備える。４台の気流発生装置２１、２２、２３、２４は、冷房装置あるいは暖房装置と兼用されていてもよい。図３に示す例では、４台の気流発生装置２１、２２、２３、２４が、冷房装置に兼用されている構成を想定している。以下では、４台の気流発生装置２１、２２、２３、２４を区別する場合に、第１の気流発生装置２１、第２気流発生装置２２、第３の気流発生装置２３、第４の気流発生装置２４と呼ぶ。
【００３１】
図３に示す構成例では、図４に示すように、第１の気流発生装置２１が第１の気流ＡＦ１を形成し、第２の気流発生装置２２が第２の気流ＡＦ２を形成し、第３の気流発生装置２３が第３の気流を形成し、第４の気流発生装置２４が第４の気流ＡＦ４を形成する。４台の気流発生装置２１それぞれは、四角形状の屋根部材１１の４つの角付近に一対一に対応するように配置される。また、４台の気流発生装置２１それぞれは、平面視において四角形状である対象空間Ｓｔの各辺に沿うように、第１の気流ＡＦ１、第２の気流ＡＦ２、第３の気流ＡＦ３、第４の気流ＡＦ４を形成する。
【００３２】
以下では、四角形状の対象空間Ｓｔにおける４つの角部を区別するために、壁部材１３３に接していない１つの角部を第１角部に定め、対象空間Ｓｔを上から見て第１角部の左隣りの角部を第２角部と呼ぶ。また、残りの角部を、右回り（時計回り）に、第３角部、第４角部と呼ぶ。さらに、第１角部と第２角部とを結ぶ辺を第１辺、第２角部と第３角部とを結ぶ辺を第２辺、第３角部と第４角部とを結ぶ辺を第３辺、第４角部と第１角部とを結ぶ辺を第４辺と呼ぶ。つまり、第１角部に対して壁部材１３３に沿う向きに延びている辺を第１辺、第１角部に対して壁部材１３３に向かう方向に延びている辺を第４辺と呼ぶ。
【００３３】
第１の気流発生装置２１は、第１角部付近に配置され、第１の気流ＡＦ１を第１辺に沿う向きに形成する。また、第２の気流発生装置２２は、第２角部付近に配置され、第２の気流ＡＦ２を第２辺に沿う向きに形成する。同様に、第３の気流発生装置２３は、第３角部付近に配置され、第３の気流ＡＦ３を第３辺に沿う向きに形成し、第４の気流発生装置２４は、第４角部付近に配置され、第４の気流ＡＦ４を第４辺に沿う向きに形成する。したがって、第１の気流ＡＦ１の下流に第２の気流ＡＦ２が形成され、第２の気流ＡＦ２の下流に第３の気流ＡＦ３が形成され、第３の気流ＡＦ３の下流に第４の気流ＡＦ４が形成され、第４の気流ＡＦ４の下流に第１の気流ＡＦ１が形成される。
【００３４】
上述した構成によって、第１の気流ＡＦ１は下流において第２の気流ＡＦ２に巻き込まれ、第２の気流ＡＦ２は下流において第３の気流ＡＦ３に巻き込まれる。同様に、第３の気流ＡＦ３は下流において第４の気流ＡＦ４に巻き込まれ、第４の気流ＡＦ４は下流において第１の気流ＡＦ１に巻き込まれる。したがって、第１の気流ＡＦ１と第２の気流ＡＦ２と第３の気流ＡＦ３と第４の気流ＡＦ４とは、それぞれ流速が低下すると、対象空間Ｓｔの内部にとどまるように流速の速い気流に巻き込まれる。その結果、４台の気流発生装置２１、２２、２３、２４によって対象空間Ｓｔの内部を循環する気流が形成され、冷気あるいは暖気が対象空間Ｓｔにとどまりやすくなる。
【００３５】
図３および図４に示す構成例では、建物１０Ｂの３つの面が開放されているが、気流発生装置２１、２２、２３、２４を用いない場合に比べて、対象空間Ｓｔから建物１０Ｂの外部への空気の流出量が低減される。しかも、対象空間Ｓｔにおいて循環する気流が形成されるから、冷気あるいは暖気を対象空間Ｓｔの全体に行き渡らせやすく、対象空間Ｓｔの冷房あるいは暖房が迅速に行われる。
【００３６】
４台の気流発生装置２１、２２、２３、２４は、すべてが冷房装置あるいは暖房装置に兼用されていてもよいが、一部が冷房装置あるいは暖房装置に兼用されていてもよい。４台の気流発生装置２１、２２、２３、２４のうちの２つが冷房装置に兼用される場合、たとえば、第１の気流発生装置２１と第３の気流発生装置２３とが冷房装置として兼用される。もちろん、第２の気流発生装置２２と第４の気流発生装置２４とが冷房装置として兼用されてもよい。なお、第１の気流ＡＦ１の流速、第２の気流ＡＦ２の流速、第３の気流ＡＦ３の流速、第４の気流の流速に関する条件は、図１および図２に示した構成例と同様である。
【００３７】
また、構成例１と同様に、４台の気流発生装置２１、２２、２３、２４は、対象空間Ｓｔにおいて同程度の高さ（望ましくは同じ高さ）に配置されることが望ましい。４台の気流発生装置２１、２２、２３、２４が同程度の高さに配置されていると、１つの気流の下流における空気が他の気流に誘導され易くなる。
【００３８】
図３および図４に示す構成例では、第１の気流ＡＦ１、第２の気流ＡＦ２、第４の気流ＡＦ４が、開放面である出入口１４に対してエアカーテンのように機能し、対象空間Ｓｔから外部への冷熱または温熱の流出を抑制する。しかも、第１の気流ＡＦ１と第２の気流ＡＦ２と第３の気流ＡＦ３と第４の気流ＡＦ４とにより、対象空間Ｓｔを循環する気流が形成されるから、対象空間Ｓｔにおける温度の偏りが抑制される。
【００３９】
図３および図４に示す構成例では、建物１０Ｂの１面に壁部材１３３が設けられているが、屋根部材１１で覆われる面と設置面とを除く４つの面が開放されている場合でも、対象空間Ｓｔにおいて循環する気流を形成することが可能である。つまり、４台の気流発生装置２１、２２、２３、２４を備えていれば、壁部材１３３が存在しない場合でも、対象空間Ｓｔにおいて循環する気流を形成することが可能である。そのため、対象空間Ｓｔの上面は四角形状ではなく、円形状、八角形、六角形、五角形、三角形などであっても、対象空間Ｓｔにおいて循環する気流を形成することが可能である。
【００４０】
なお、対象空間Ｓｔの上面が円形状である場合に、気流は、円形状の弦に沿うように形成される。また、対象空間Ｓｔの上面が五角以上の多角形である場合には、気流は、必ずしも辺に沿う方向に形成されなくてもよい。つまり、複数の気流のうちのいずれかは、辺に交差する向きに形成されていてもよい。ただし、気流は、流線のうちの中心線が対象空間Ｓｔを通過するように形成される。
【００４１】
また、図３および図４に示す構成例は、４台の気流発生装置２１、２２、２３、２４を配置することによって、対象空間Ｓｔから冷気あるいは暖気が建物１０Ｂの外部に流出しにくくなるように、対象空間Ｓｔにおいて循環する気流を形成している。この構成に対して、たとえば三角形の頂点となる位置付近に３台の気流発生装置を配置してもよい。この構成では、４台の気流発生装置２１、２２、２３、２４を用いる場合よりも気流が循環する範囲はやや狭くなるが、対象空間Ｓｔからの冷気あるいは暖気の流出量を低減させることが可能である。このように、気流発生装置の台数にはとくに制限はなく、５台以上の気流発生装置を配置して対象空間Ｓｔに循環する気流を形成することも可能である。
【００４２】
対象空間Ｓｔが、４台の気流発生装置２１、２２、２３、２４を備える場合について、シミュレーションを行った。シミュレーションでは、４台の気流発生装置２１、２２、２３、２４を２台ずつ向かい合わせて配置した場合と、構成例２のように対象空間Ｓｔに循環する気流を形成するように配置した場合との比較を行った。シミュレーションは、外気温が３７［℃］であってミストを噴霧するという条件で行った。また、シミュレーションの結果は、対象空間Ｓｔの温度の変動が所定値以下になった安定状態における対象空間Ｓｔの気温の温度分布を求め、さらに対象空間Ｓｔにおいて人が滞在する領域の気温の代表値により評価した。
【００４３】
気温の代表値は、２台ずつを向かい合わせて配置した場合には３０．６℃であり、構成例２を採用した場合には２９．０℃であった。すなわち、気流発生装置２１、２２、２３、２４が対象空間Ｓｔに投入した冷熱のエネルギーが等しい場合に、２台ずつを向かい合わせて配置する場合よりも、循環する気流が形成されるように配置するほうが、エネルギーの利用効率が高いという結果が得られた。また、対象空間Ｓｔの気温が温度が安定するまでの時間も２台ずつを向かい合わせる場合よりも、気流を循環させるほうが短いという結果が得られた。さらに、対象空間Ｓｔの温度分布については、循環する気流を形成するほうが、温度の偏り（分散）が小さくなるという結果が得られた。
【００４４】
上述した構成例の空調システム２０は、第１の気流発生装置２１と第２の気流発生装置２２とを備える。第１の気流発生装置２１は、対象空間Ｓｔを通過する第１の気流ＡＦ１を形成する。第２の気流発生装置２２は、対象空間Ｓｔを通過する第２の気流ＡＦ２を形成する。対象空間Ｓｔは、上面が覆われ、かつ側面に閉鎖面（壁部材１３１、１３２、１３３）および開放面（出入口１４）を備える。第１の気流発生装置２１と第２の気流発生装置２２とは対象空間Ｓｔの平面視における対象空間Ｓｔの周部の異なる部位に配置される。第１の気流発生装置２１は、開放面に沿う向きに第１の気流ＡＦ１を形成する。第２の気流発生装置２２は、対象空間Ｓｔの周部において第１の気流ＡＦ１の下流側であって、閉鎖面に向かう向きに第２の気流ＡＦ２を形成するように配置される。さらに、第２の気流発生装置２２は、第１の気流発生装置２１が形成する第１の気流ＡＦ１の下流側において、第２の気流発生装置２２が形成する第２の気流ＡＦ２が第１の気流ＡＦ１を巻き込むように配置されている。結果的に、第２の気流発生装置２２は、第１の気流ＡＦ２が第２の気流ＡＦ１の向きに変更されるように配置されている。
【００４５】
この構成によれば、冷房あるいは暖房の対象となる対象空間Ｓｔに開放面が形成されているにもかかわらず、冷気あるいは暖気が対象空間Ｓｔにとどまるように第１の気流ＡＦ１が第２の気流ＡＦ２によって制御される。すなわち、対象空間Ｓｔからの冷気あるいは暖気の流出量が抑制される。したがって、対象空間Ｓｔの冷房あるいは暖房の効率が高まる。
【００４６】
対象空間Ｓｔは、建物１０Ａ（または１０Ｂ）に形成されていることが望ましい。建物１０Ａ（または１０Ｂ）は、記対象空間Ｓｔの上面を覆う屋根部材１１と、閉鎖面を形成する壁部材１３１、１３２、１３３（または１３３）とを備える。
【００４７】
この構成によれば、第２の気流ＡＦ２は、壁部材１３３により対象空間Ｓｔから外部への流出が抑制される。
【００４８】
対象空間Ｓｔは直方体状であってもよい。この場合、閉鎖面は、対象空間Ｓｔにおいて対象空間Ｓｔの上面に隣り合う４つの面のうちの３面であって、第２の気流発生装置２２は、第１の気流ＡＦ１の下流側に配置され、かつ開放面と向かい合う壁部材１３３に向かう向きに第２の気流ＡＦ２を形成する。
【００４９】
この構成では、開放面に沿って第１の気流ＡＦ１が形成されるが、第１の気流ＡＦ１は第２の気流ＡＦ２に巻き込まれることにより対象空間Ｓｔにとどまる。また、第２の気流ＡＦ２は、閉鎖面により、対象空間Ｓｔにおいて一方向に誘導されるから、対象空間Ｓｔの外部に流出することがない。そのため、第１の気流ＡＦ１と第２の気流ＡＦ２とにより対象空間Ｓｔの中で循環する気流が形成され、対象空間Ｓｔからの冷気あるいは暖気の流出量が抑制される上に、対象空間Ｓｔの中で冷気あるいは暖気が迅速に拡散される。つまり、冷房効率あるいは暖房効率が高く、しかも対象空間Ｓｔの冷房あるいは暖房を開始してから対象空間Ｓｔが所望温度に達するまでの時間が短縮される。
【００５０】
第２の気流発生装置２２は、第１の気流発生装置２１が形成する第１の気流ＡＦ１の流速が所定の基準値まで減速された位置に配置されることが望ましい。
【００５１】
この基準によって、第１の気流発生装置２１と第２の気流発生装置２２との仕様および配置を決定することができる。
【００５２】
また、空調システム２０は、対象空間Ｓｔを通過する気流を形成する３台以上の複数台の気流発生装置２１、２２、２３、２４を備えていてもよい。対象空間Ｓｔは、上面が覆われ、かつ側面の少なくとも一部に開放面を備える。複数台の気流発生装置２１、２２、２３、２４は対象空間Ｓｔの平面視における対象空間Ｓｔの周部における互いに異なる部位に配置される。また、複数台の気流発生装置２１、２２、２３、２４のうちで対象空間Ｓｔの周部において隣り合う２台の気流発生装置（２１、２２）は、第１の気流発生装置（２１）と、第２の気流発生装置（２２）とが以下の条件を満足するように配置される。第１の気流発生装置（２１）は２台の気流発生装置（２１、２２）のうちの一方であり、第２の気流発生装置（２２）は２台の気流発生装置（２１、２２）のうちの他方である。すなわち、第１の気流発生装置（２１）が形成する第１の気流（ＡＦ１）の下流側において、第２の気流発生装置（２２）が形成する第２の気流（ＡＦ２）が第１の気流（ＡＦ１）を巻き込むことが条件である。そして、第１の気流発生装置（２１）と、第２の気流発生装置（２２）とは、第１の気流（ＡＦ１）が第２の気流（ＡＦ２）の向きに変更されるように配置される。しかも、複数台の気流発生装置２１、２２、２３、２４は、複数台の気流発生装置２１、２２、２３、２４が形成する複数の気流ＡＦ１、ＡＦ２、ＡＦ３、ＡＦ４が対象空間Ｓｔにおいて循環するように配置されている。
【００５３】
この構成によれば、冷房あるいは暖房の対象となる対象空間Ｓｔに開放面が形成されているにもかかわらず、冷気あるいは暖気が対象空間Ｓｔにとどまるように第１の気流（ＡＦ１）が第２の気流（ＡＦ２）によって制御される。すなわち、対象空間Ｓｔからの冷気あるいは暖気の流出量が抑制される。その結果、対象空間Ｓｔの冷房あるいは暖房の効率が高まる。
【００５４】
対象空間Ｓｔは、建物１０Ｂに形成されており、建物１０Ｂは、対象空間Ｓｔの上面を覆う屋根部材１１を備えることが望ましい。
【００５５】
この構成によれば、屋根部材１１により対象空間Ｓｔの上方への冷気あるいは暖気の流出が抑制される。
【００５６】
第２の気流発生装置（２２）は、第１の気流発生装置（２１）が形成する第１の気流ＡＦ１の流速が所定の基準値まで減速された位置に配置されることが望ましい。
【００５７】
この基準によって、第１の気流発生装置（２１）と第２の気流発生装置（２２）との仕様および配置を決定することができる。なお、括弧付きの符号は、例示のための符号である。例を示すと、（２１、２２）は、（２２、２３）、（２３、２４）、または（２４、２１）と読み替えることができる。
【００５８】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００５９】
１０Ａ  建物
１０Ｂ  建物
１１  屋根部材
１４  出入口（開放面）
２０  空調システム
２１  第１の気流発生装置
２２  第２の気流発生装置
２３  第３の気流発生装置
２４  第４の気流発生装置
１３１  壁部材（閉鎖面）
１３２  壁部材（閉鎖面）
１３３  壁部材（閉鎖面）
ＡＦ１  第１の気流
ＡＦ２  第２の気流
ＡＦ３  第３の気流
ＡＦ４  第４の気流
Ｓｔ  対象空間
【図１】
0006735498.tif 000002
【図２】
0006735498.tif 000003
【図３】
0006735498.tif 000004
【図４】
0006735498.tif 000005